(57)【要約】【課題】炊飯器本体の開口部を開閉する外蓋に蒸気筒を装着した炊飯器において、炊飯直後から時間が経過しても、環状パッキンが収縮しないようにし、外蓋の開成時に蒸気筒に溜まった露が外部へ漏れるのを防止し、また、連続に炊飯しても炊飯中に蒸気筒から蒸気やおねばの漏れの発生を防止する。【解決手段】加熱手段４により加熱される鍋３を炊飯器本体１内に着脱自在に収納し、炊飯器本体１の開口部を外蓋２により開閉し、外蓋２に蒸気筒１０を着脱可能に装着する。蒸気筒１０は、上ケース１２と、この上ケース１２に回転嵌合し環状パッキン２５によりシールした下ケース１３とで構成し、環状パッキン２５は、断面形状を中空とし、環状パッキン２５の内面の片面から対面までつながらない複数本のビードを配設する。【選択図】図１
2005143541.tif 000002
【特許請求の範囲】
【請求項１】
鍋を着脱自在に収納する炊飯器本体と、前記炊飯器本体の開口部を開閉する外蓋と、前記鍋を加熱する加熱手段と、前記外蓋に着脱可能に装着される蒸気筒とを備え、前記蒸気筒は、上ケースと、この上ケースに回転嵌合し環状パッキンによりシールした下ケースとで構成し、前記環状パッキンは、断面形状を中空とし、環状パッキンの内面の片面から対面までつながらない複数本のビードを配設した炊飯器。
【請求項２】
環状パッキンは、断面形状を中空とし、内面より中心に向かって複数本のビードを配設し、前記ビードは、前記環状パッキンの中心付近で空隙を形成するようにした請求項１記載の炊飯器。
【請求項３】
環状パッキンは、断面形状を中空とし、内面より対面に向かって複数本のビードを配設し、前記ビードは、対面との間に空隙を形成した請求項１記載の炊飯器。
【発明の詳細な説明】
【技術分野】
【０００１】
本発明は、炊飯器本体の開口部を開閉する外蓋に蒸気筒を装着した炊飯器に関するものである。
【背景技術】
【０００２】
従来、この種の炊飯器は図５に示すように構成していた。以下、その構成について説明する。
【０００３】
図５に示すように、鍋４１は、炊飯器本体４２内に着脱自在に収納し、炊飯器本体４２の開口部を外蓋４３により覆っている。加熱手段４４は鍋４１を加熱するものである。外蓋４３に蒸気筒４５を着脱自在に装着しており、蒸気筒４５は、上ケース４６と下ケース４７とで構成し、下ケース４７の周壁４８の一方の側に係止部４９を配設するとともに、他方の側にロック機構５０を配設し、上ケース４６の周壁５１の一方の側に係止部４９と係合する係合部５２を配設するとともに、他方の側にロック機構５０により係止される係止部５３を配設している。
【０００４】
上ケースの周壁４８の内側には溝部５４を配設し、溝部５４には、弾性を有する中空の環状パッキン５５を配設し、この環状パッキン５５は、上ケース４６と下ケース４７とで狭持されている。ここで、環状パッキン５５により、炊飯中に発生した蒸気やおねばが蒸気筒４５の内部に入ったとしても蒸気やおねばの漏れを防止することができる（例えば、特許文献１参照）。
【特許文献１】特開平１０−２０７３４２号公報
【発明の開示】
【発明が解決しようとする課題】
【０００５】
しかしながら、このような従来の構成の炊飯器では、炊飯中および炊飯直後においては、蒸気筒４５の内部の温度が高いため、環状パッキン５５は収縮しないが、炊飯終了後から３０分経過すると、環状パッキン５５が外気により急激に冷やされ収縮する。その状態で、外蓋４３を開成されると、炊飯中に溜まった蒸気筒４５の内部の露が蒸気筒４５外部へ漏れてしまい、床面に露が落ち不衛生になってしまう。また、環状パッキン５５が収縮した状態で炊飯されると、炊飯中において蒸気筒４５から蒸気やおねばが漏れる現象も発生し易い。
【０００６】
本発明は上記従来の課題を解決するもので、炊飯直後から時間が経過しても、環状パッキンが収縮しないようにし、外蓋の開成時に蒸気筒に溜まった露が外部へ漏れるのを防止し、また、連続に炊飯しても炊飯中に蒸気筒から蒸気やおねばの漏れの発生を防止することを目的としている。
【課題を解決するための手段】
【０００７】
本発明は上記目的を達成するために、加熱手段により加熱される鍋を炊飯器本体内に着脱自在に収納し、炊飯器本体の開口部を外蓋により開閉し、外蓋に蒸気筒を着脱可能に装着し、蒸気筒は、上ケースと、この上ケースに回転嵌合し環状パッキンによりシールした下ケースとで構成し、環状パッキンは、断面形状を中空とし、環状パッキンの内面の片面から対面までつながらない複数本のビードを配設したものである。
【０００８】
これにより、炊飯直後から時間が経過しても、環状パッキンが収縮しないようにでき、外蓋の開成時に蒸気筒に溜まった露が外部へ漏れるのを防止することができ、また、連続に炊飯しても炊飯中に蒸気筒から蒸気やおねばの漏れの発生を防止することができる。
【発明の効果】
【０００９】
本発明の炊飯器は、炊飯直後から時間が経過しても、環状パッキンが収縮しないようにでき、外蓋の開成時に、蒸気筒に溜まった露が外部へ漏れるのを防止し、また、連続に炊飯しても炊飯中に蒸気筒から蒸気やおねばの漏れの発生を防止することができる。
【発明を実施するための最良の形態】
【００１０】
第１の発明は、鍋を着脱自在に収納する炊飯器本体と、前記炊飯器本体の開口部を開閉する外蓋と、前記鍋を加熱する加熱手段と、前記外蓋に着脱可能に装着される蒸気筒とを備え、前記蒸気筒は、上ケースと、この上ケースに回転嵌合し環状パッキンによりシールした下ケースとで構成し、前記環状パッキンは、断面形状を中空とし、環状パッキンの内面の片面から対面までつながらない複数本のビードを配設したものであり、炊飯直後から蒸気筒が外気により冷やされ、環状パッキンが冷やされて収縮しだしたとしても、複数のビードの先端相互間またはビードと環状パッキンの内面との間に空隙を形成することができるため、ビードどうしが干渉しあい、上記空隙以上の収縮は発生しない。よって、上ケースと下ケースの間のシールを確保するための環状パッキンの締め代を、環状パッキンの収縮寸法より大きく設定することにより、環状パッキンが冷やされても収縮することがなく、炊飯直後から外蓋を開成し、その状態で放置されたとしても、炊飯中に発生し蒸気筒内に溜まった露は、蒸気筒の外部へ漏れることがなくなる。また、環状パッキンが冷やされても収縮しにくい構成であるため、炊飯直後から連続で炊飯をなされたとしても、炊飯中において、蒸気筒内部からの蒸気やおねばの漏れを防止することができる。
【００１１】
第２の発明は、上記第１の発明において、環状パッキンは、断面形状を中空とし、内面より中心に向かって複数本のビードを配設し、前記ビードは、前記環状パッキンの中心付近で空隙を形成するようにしたものであり、炊飯直後から蒸気筒が外気により冷やされ、環状パッキンが冷やされて収縮しだしたとしても、環状パッキンの中心部に空隙を形成しているため、ビードどうしが干渉しあい空隙以上の収縮は発生しない。よって、環状パッキンの締め代を環状パッキンの収縮寸法より大きく設定することにより、環状パッキンが冷やされても収縮することがなく、炊飯直後から外蓋を開成し、その状態で放置されたとしても炊飯中に発生し蒸気筒内に溜まった露は、蒸気筒の外部へ漏れることがなくなる。また、環状パッキンが冷やされても収縮しにくい構成であるため、炊飯直後から連続で炊飯をなされたとしても、炊飯中において、蒸気筒内部からの蒸気やおねばの漏れを防止することができる。
【００１２】
また、環状パッキン内部のビードの本数を少なくすることで、シール性を確保しようとして、環状パッキンの締め代寸法を、第１の発明より大きく設定したとしても、上ケースと下ケースを嵌合する回転力を第１の発明より低減することができ、顧客に対する使い勝手と手入れ性を向上することができる。
【００１３】
第３の発明は、上記第１の発明において、環状パッキンは、断面形状を中空とし、内面より対面に向かって複数本のビードを配設し、前記ビードは、対面との間に空隙を形成したものであり、炊飯直後から蒸気筒が外気により冷やされ、環状パッキンが冷やされて収縮しだしたとしても、ビードと環状パッキンの対面との間に空隙を形成しているため、ビードと環状パッキンの内面が干渉しあい、空隙以上の収縮は発生しない。よって、環状パッキンの締め代を環状パッキンの収縮寸法より大きく設定することにより、環状パッキンが冷やされても収縮することがなく、炊飯直後から外蓋を開成し、その状態で放置されたとしても炊飯中に発生し蒸気筒内に溜まった露は、蒸気筒の外部へ漏れることがなくなる。また、環状パッキンが冷やされても収縮しにくい構成であるため、炊飯直後から連続で炊飯をなされたとしても、炊飯中において、蒸気筒内部からの蒸気やおねばの漏れを防止することができる。また、第２の発明と同様に、環状パッキン内部のビードの本数を少なくすることで、シール性を確保しようと環状パッキンの締め代寸法を大きく設定したとしても、上ケースと下ケースの嵌合する回転力をより低減することができ、顧客に対する使い勝手と手入れ性を向上することができる。
【００１４】
以下、本発明の実施の形態について、図面を参照しながら説明する。なお、この実施の形態によって本発明が限定されるものではない。
【００１５】
（実施の形態１）
図１は、本発明の実施の形態１の炊飯器の縦断面図、図２（ａ）は環状パッキンの拡大断面図、図２（ｂ）は要部拡大断面図である。
【００１６】
図１に示すように、炊飯器本体１は、外蓋２により開口部を覆い、この炊飯器本体１に鍋３を着脱自在に収納している。加熱手段４は鍋３を電磁誘導加熱するもので加熱制御基板５により電流制御するようにし、この加熱制御基板５は操作基板６により制御される。操作基板６の上方部には、炊飯器を操作するための操作パネル７を配設しており、操作パネル７のボタン８を操作することで、操作基板６を介して、加熱制御基板５に情報が流れ、加熱手段４に電流が供給されることで、鍋３が電磁誘導加熱され、鍋３内の調理物９が調理できるようになる。
【００１７】
外蓋２に蒸気筒１０を配設し、炊飯中に発生するおねばと蒸気を分離し、蒸気のみを外部へ放出するようにしている。この蒸気筒１０を着脱自在に収納するための凹部１１を外蓋２に配設している。
【００１８】
蒸気筒１０は上ケース１２と下ケース１３とで構成し、下ケース１３には、炊飯中に発生する蒸気やおねばを蒸気筒１０内部に取り込む通過孔１４を配設しており、炊飯中に発生したおねばをおねば溜め部１５に溜めるようにしている。逆止弁１６は炊飯中に発生したおねばを加熱手段４の電流オフ時に鍋３内に還流させるものである。上ケース１２には、炊飯中に発生し、下ケース１３で分離された蒸気を外部へ放出するための排気孔１７を設けている。
【００１９】
ここで、蒸気筒１０を構成する上ケース１２と下ケース１３の嵌合方法について説明する。
【００２０】
上ケース１２に外周壁１８を配設し、この外周壁１８に、図２（ｂ）に示すように、凹部１９を数箇所配設している。また、下ケース１３に外周壁２０を配設しており、この外周壁２０には数箇所の凸部２１を配設している。
【００２１】
このような構成で、上ケース１２の凹部１９に下ケース１３の凸部２１をはめ込み回転により嵌合することができる。この構成においては、上ケース１２の凹部１９及び下ケース１３の凸部２１は、外周全周部に配設しても、同様の嵌合を行なうことができる。
【００２２】
つぎに、上ケース１２と下ケース１３の嵌合シール部分について説明する。
【００２３】
上ケース１２の外周壁１８の内側に溝部２２を配設し、溝部２２の巾方向中央部に上ディップ２３を配設している。下ケース１３の外周壁２０の上面部の巾方向中央部に下ディップ２４を配設している。上ケース１２の溝部２２には、ゴム部材で構成したシール用の環状パッキン２５を配設している。ここで、環状パッキン２５は、環状形状である。２６は、上ケース１２の上ディップ２３と下ケース１３の下ディップ２４により構成される上下方向でシールするための環状パッキン２５の締め代である。
【００２４】
環状パッキン２５は、図２（ａ）に示すように、断面形状を中空とし、環状パッキン２５の内面の片面から対面までつながらない複数本のビード２７を配設し、環状パッキン２５の中央部に空隙２８を形成し、ビード２７は空隙２８までの構成となっている。ここで、環状パッキン２５の基本断面形状は円であるが、四角形状でも問題ない。
【００２５】
上記構成において動作、作用を説明する。炊飯が終了し時間が経過すると、蒸気筒１０が冷やされ、蒸気筒１０の内部の温度が低下し、環状パッキン２５が冷やされる。環状パッキン２５は中空であるために、急激に温度が低下すると、環状パッキン２５内の空気が収縮され、環状パッキン２５の外形が収縮してくる。この収縮寸法は、環状パッキン２５の中央部に形成している空隙２８以上に収縮することはない。
【００２６】
また、炊飯および保温を繰り返すと、上ケース１２および下ケース１３が熱収縮し、実使用での変形が発生してくるが、環状パッキン２５の締め代２６は、空隙２８と使用での変形寸法の和より大きく設定することで、環状パッキン２５が冷やされ収縮したとしても、締め代２６は確保することができるので、炊飯終了後に外蓋２を開成し、その状態で放置したとしても、炊飯中に発生した蒸気筒１０内部の露は外部に漏れるのを防止することができる。
【００２７】
また、環状パッキン２５が冷やされたとしても、締め代２６が確保できることから、炊飯終了し、外蓋２を開成されて、環状パッキン２５が収縮した状態で炊飯を行われたとしても、環状パッキン２５の締め代２６は確保できていることから、炊飯中における蒸気筒１０内にある蒸気やおねばを外部への漏れを防止することができる。
【００２８】
また、上ケース１２と下ケース１３の嵌合時においての操作力は、締め代２６に影響されるが、環状パッキン２５の中央部に空隙２８を形成しているため、ビード２７が干渉しあい変形しやすいので、操作力を軽くすることができる。
【００２９】
以上のように、本実施の形態においては、外蓋２に着脱可能に蒸気筒１０を装着し、この蒸気筒１０は、上ケース１２と、この上ケース１２に回転嵌合し環状パッキン２５によりシールした下ケース１３とで構成し、環状パッキン２５は、断面形状を中空とし、環状パッキン２５の内面の片面から対面までつながらない複数本のビード２７を配設したので、炊飯直後から蒸気筒１０が外気により冷やされ、環状パッキン２５が冷やされて収縮しだしたとしても、複数のビード２７の先端相互間の間に空隙２８を形成することができるため、ビード２７どうしが干渉しあい、空隙２８以上の収縮は発生しない。
【００３０】
よって、上ケース１２と下ケース１３の間のシールを確保するための環状パッキン２５の締め代２６を、環状パッキン２５の収縮寸法より大きく設定することにより、環状パッキン２５が冷やされても収縮することがなく、炊飯直後から外蓋２を開成し、その状態で放置されたとしても、炊飯中に発生し蒸気筒１０内に溜まった露は、蒸気筒１０の外部へ漏れることがなくなる。また、環状パッキン２５が冷やされても収縮しにくい構成であるため、炊飯直後から連続で炊飯をなされたとしても、炊飯中において、蒸気筒１０内部からの蒸気やおねばの漏れを防止することができる。
【００３１】
また、環状パッキン２５は、内面より中心に向かって複数本のビード２７を配設し、ビード２７は環状パッキン２５の中心付近で空隙２８を形成するようにしたので、炊飯直後から蒸気筒１０が外気により冷やされ、環状パッキン２５が冷やされて収縮しだしたとしても、環状パッキン２５の中心部に空隙２８を形成しているため、ビード２７どうしが干渉しあい空隙２８以上の収縮は発生しない。よって、上ケース１２と下ケース１３の間のシールを確保するための環状パッキン２５の締め代を環状パッキン２５の収縮寸法より大きく設定することにより、環状パッキン２５が冷やされても収縮することがなくなる。
【００３２】
（実施の形態２）
図３（ａ）は、本発明の実施の形態２の炊飯器の環状パッキンの断面図、図３（ｂ）は要部断面図である。
【００３３】
図３（ａ）に示すように、環状パッキン２５ａは、ゴム部材で構成して断面形状を中空とし、４本のビード２７を環状パッキン２５ａの中心方向に配設しており、中心部分には空隙２８を形成している。ここで、ビード２７は４本であるため、空隙２８は、上記実施の形態１より小さい寸法に構成することができる。この環状パッキン２５ａを、図３（ｂ）に示すように、上記実施の形態１と同様に、上ケース１２の溝部２２に配設している。他の構成は上記実施の形態１と同じである。
【００３４】
ここで、環状パッキン２５ａの基本断面形状は円であるが、四角形状でも問題ない。また、環状パッキンは環状形状である。
【００３５】
上記構成において動作、作用を説明する。炊飯および保温を繰り返すと、上ケース１２および下ケース１３が熱収縮し、実使用での変形が発生してくるが、環状パッキン２５ａの締め代２６は、空隙２８と使用での変形寸法の和より大きく設定することで、環状パッキン２５ａが冷やされ収縮したとしても、締め代２６は確保することができるので、炊飯終了後に外蓋２を開成し、その状態で放置したとしても、炊飯中に発生した蒸気筒１０内部の露は外部に漏れるのを防止することができる。
【００３６】
また、ビード２７が４本であるために、ビード２７間に空隙２９を形成することができるため、上ケース１２と下ケース１３の嵌合時にビード２７どうしが干渉したとしても、空隙２９にビード２７が逃げることができるため、上ケース１２と下ケース１３の嵌合時の操作力を上記実施の形態１より軽くすることができる。
【００３７】
以上のように、本実施の形態においては、環状パッキン２５ａは、断面形状を中空とし、内面より中心に向かって複数本のビード２７を配設し、ビード２７は、環状パッキン２５ａの中心付近で空隙２８を形成するようにしたので、炊飯直後から蒸気筒１０が外気により冷やされ、環状パッキン２５ａが冷やされて収縮しだしたとしても、環状パッキン２５ａの中心部に空隙２８を形成しているため、ビード２７どうしが干渉しあい空隙２８以上の収縮は発生しない。よって、シールを確保するための環状パッキン２５ａの締め代を環状パッキン２５ａの収縮寸法より大きく設定することにより、環状パッキン２５ａが冷やされても収縮することがなく、炊飯直後から外蓋２を開成し、その状態で放置されたとしても炊飯中に発生し蒸気筒１０内に溜まった露は、蒸気筒１０の外部へ漏れることがなくなる。また、環状パッキン２５ａが冷やされても収縮しにくい構成であるため、炊飯直後から連続で炊飯をなされたとしても、炊飯中において、蒸気筒１０内部からの蒸気やおねばの漏れを防止することができる。
【００３８】
また、環状パッキン内部のビードの本数を少なくすることで、シール性を確保しようとして、環状パッキン２５ａの締め代寸法を、上記実施の形態１より大きく設定したとしても、上ケース１２と下ケース１３を嵌合する回転力を上記実施の形態１より低減することができ、顧客に対する使い勝手と手入れ性を向上することができる。
【００３９】
（実施の形態３）
図４（ａ）は、本発明の実施の形態３の炊飯器の環状パッキンの断面図、図４（ｂ）は要部断面図である。
【００４０】
図４（ａ）に示すように、環状パッキン２５ｂは、ゴム部材で構成して断面形状を中空とし、２本のビード２７を環状パッキン２５ｂの内面の片側から対面に向かって配設しており、ビード２７は対面とはつながらず空隙３０を形成している。この環状パッキン２５ｂを、図４（ｂ）に示すように、上記実施の形態１と同様に、上ケース１２の溝部２２に配設している。他の構成は上記実施の形態１と同じである。
【００４１】
ここで、環状パッキン２５ｂの基本断面形状は円であるが、四角形状でも問題ない。また、環状パッキンは環状形状である。
【００４２】
上記構成において動作、作用を説明する。炊飯および保温を繰り返すと、上ケース１２および下ケース１３が熱収縮し、実使用での変形が発生してくるが、上記実施の形態２と同様に、蒸気筒１０から外部への露漏れを防止することができる。また、環状パッキン２５ｂの内部のビード２７が２本であるので、ビード２７間の空隙３１を設けることができるので、上ケース１２と下ケース１３の嵌合時にビード２７どうしが干渉したとしても、空隙３１にビード２７が逃げることができるため、実施の形態２と同様の効果を得ることができる。
【００４３】
以上のように、本実施の形態においては、環状パッキン２５ｂは、断面形状を中空とし、内面より対面に向かって２本のビード２７を配設し、ビード２７は、対面との間に空隙３０を形成したので、炊飯直後から蒸気筒が外気により冷やされ、環状パッキン２５ｂが冷やされて収縮しだしたとしても、ビード２７と環状パッキン２５ｂの対面との間に空隙を形成しているため、ビード２７と環状パッキン２５ｂの内面が干渉しあい、空隙３０以上の収縮は発生しない。
【００４４】
よって、環状パッキン２５ｂの締め代を環状パッキン２５ｂの収縮寸法より大きく設定することにより、環状パッキン２５ｂが冷やされても収縮することがなく、炊飯直後から外蓋２を開成し、その状態で放置されたとしても炊飯中に発生し蒸気筒１０内に溜まった露は、蒸気筒１０の外部へ漏れることがなくなる。
【００４５】
また、上記実施の形態２と同様に、環状パッキン２５ｂ内部のビード２７の本数を少なくすることで、シール性を確保しようと環状パッキン２５ｂの締め代寸法を大きく設定したとしても、上ケースと下ケースの嵌合する回転力をより低減することができ、顧客に対する使い勝手と手入れ性を向上することができる。
【産業上の利用可能性】
【００４６】
以上のように、本発明にかかる炊飯器は、炊飯直後から時間が経過しても、環状パッキンが収縮しないようにでき、外蓋の開成時に、蒸気筒に溜まった露が外部へ漏れるのを防止し、また、連続に炊飯しても炊飯中に蒸気筒から蒸気やおねばの漏れの発生を防止することができるので、炊飯器本体の開口部を開閉する外蓋に蒸気筒を装着した炊飯器として有用である。
【図面の簡単な説明】
【００４７】
【図１】本発明の実施の形態１における炊飯器の縦断面図
【図２】（ａ）同炊飯器の環状パッキンの拡大断面図（ｂ）同炊飯器の要部拡大断面図
【図３】（ａ）本発明の実施の形態２における炊飯器の環状パッキンの断面図（ｂ）同炊飯器の要部断面図
【図４】（ａ）本発明の実施の形態３における炊飯器の環状パッキンの断面図（ｂ）同炊飯器の要部断面図
【図５】従来の炊飯器の縦断面図
【符号の説明】
【００４８】
１  炊飯器本体
２  外蓋
３  鍋
４  加熱手段
１０  蒸気筒
１２  上ケース
１３  下ケース
２５  環状パッキン
２７  ビード
【図１】
2005143541.tif 000003
【図２】
2005143541.tif 000004
【図３】
2005143541.tif 000005
【図４】
2005143541.tif 000006
【図５】
2005143541.tif 000007